(57)【要約】【課題】コンパクトで、安価な多段蒸発吸収サイクルを備えた高効率な多段吸収冷凍機を提供する。【解決手段】再生器Ｇ、凝縮器Ｃ及び蒸発器と吸収器のユニット１を有する吸収冷凍機において、前記１が伝熱面内部を流れる冷水と伝熱面外部を上方から流れる冷媒液との間で熱交換を行う蒸発器要素５Ｈと、伝熱面内部を流れる冷却水と伝熱面外部を上方から流れる吸収溶液との間で熱交換を行う吸収器要素５Ａとを備え、５Ｈと５Ａとを所定の間隔で水平方向に交互に配置し、密閉容器内に収納されると共に、該１は、収納する密閉容器が隔壁により複数の作動圧力領域に区分されることとしたものであり、前記１は、複数に区分された各作動圧力領域内において、前記５Ｈと５Ａが、上下方向に複数段に配置されてもよく、また、５Ｈと５Ａは、プレート熱交換器又は管状伝熱体で構成することができる。【選択図】  図１
2005042944.tif 000002
【特許請求の範囲】
【請求項１】
再生器、凝縮器及び蒸発器と吸収器のユニットを有する吸収冷凍機において、該蒸発器と吸収器のユニットは、伝熱面内部を流れる冷水と伝熱面外部を上方から下方に流下する冷媒液との間で熱交換を行う蒸発器要素と、伝熱面内部を流れる冷却水と伝熱面外部を上方から下方に流下する吸収溶液との間で熱交換を行う吸収器要素とを備え、該蒸発器要素と該吸収器要素とを所定の間隔において水平方向に交互に配置し、密閉容器内に収納して構成されると共に、該蒸発器と吸収器のユニットは、該密閉容器が隔壁により複数の作動圧力領域に区分されていることを特徴とする吸収冷凍機。
【請求項２】
前記蒸発器と吸収器のユニットは、複数に区分された各作動圧力領域に対し、冷水は直列に通水し、冷却水は並列又は直列に通水する構成としたことを特徴とする請求項１記載の吸収冷凍機。
【請求項３】
前記蒸発器と吸収器のユニットは、複数に区分された各作動圧力領域内において、前記蒸発器要素と前記吸収器要素それぞれが上下方向に複数に配置されていることを特徴とする請求項１又は２記載の吸収冷凍機。
【請求項４】
前記蒸発器と吸収器のユニットは、前記蒸発器要素の上部に冷媒液散布装置を設け、前記吸収器要素の上部に吸収溶液散布装置を設けると共に、前記蒸発器要素と前記吸収器要素の少なくともいづれか一方には、伝熱面外部を流下する液体を分離回収するための回収機構を設けたことを特徴とする請求項１、２又は３記載の吸収冷凍機。
【請求項５】
前記蒸発器と吸収器のユニットは、前記上下方向に複数配置された上側の蒸発器要素と吸収器要素と、下側の蒸発器要素と吸収器要素との間に、該上側の蒸発器要素と吸収器要素の伝熱面外部を流下する液体を回収し、該下側の蒸発器要素と吸収器要素の伝熱面外部に散布するための回収散布機構を設けたことを特徴とする請求項３又は４記載の吸収冷凍機。
【請求項６】
前記蒸発器と吸収器のユニットは、収納する密閉容器の一方の端板に前記蒸発器要素を接合し、他方の端板に前記吸収器要素を接合したことを特徴とする請求項１〜５のいずれか１項記載の吸収冷凍機。
【請求項７】
前記蒸発器要素と前記吸収器要素を構成する伝熱面が、２枚の薄板を接合したプレート熱交換器であることを特徴とする請求項１〜６のいずれか１項記載の吸収冷凍機。
【請求項８】
前記蒸発器要素と前記吸収器要素を構成する伝熱面が、中間部で折り曲げられ、かつ、入口端部と出口端部が、同一方向になるように構成される管状伝熱体であることを特徴とする請求項１〜６のいずれか１項記載の吸収冷凍機。
【発明の詳細な説明】
【０００１】
【発明の属する技術分野】
本発明は、吸収冷凍機に係り、特にコンパクトで安価な多段蒸発吸収サイクルを実現できる吸収冷凍機に関する。
【０００２】
【従来の技術】
【特許文献１】特公昭５３−３５６６２号公報
【特許文献２】特開平０９−１３８０３１号公報
従来の多段蒸発吸収サイクルを構成する吸収冷凍機の一例を、図９に示す全体フロー構成図で説明する。
蒸発器・吸収器缶胴１は、低圧蒸発吸収領域１ａ、高圧蒸発吸収領域１ｂから構成されている。該低圧蒸発吸収領域１ａには低圧吸収器ＡＬ、低圧蒸発器ＥＬが収納され、該高圧蒸発吸収領域１ｂには、高圧吸収器ＡＨ、高圧蒸発器ＥＨが収納されており、該低圧吸収器ＡＬと該低圧蒸発器ＥＬ及び該高圧吸収器ＡＨと該高圧蒸発器ＥＨがそれぞれ対となり、蒸発吸収作用が行われている。
この例では、対になった吸収器と蒸発器が左右に配置されており、該蒸発器で発生した冷媒蒸気が該吸収器へ流入する冷媒経路にエリミネータが設けれらている。
【０００３】
このような、従来の吸収冷凍機には下記のような問題点があった。
▲１▼  前記蒸発器で発生した冷媒蒸気は、低圧であるため比容積が大きく、前記冷媒蒸気の経路を大きくしないと該冷媒蒸気経路での冷媒蒸気の流速が速くなり、かつ、該冷媒蒸気経路での圧力損失が大きくなる。該冷媒蒸気経路での冷媒蒸気の流速が速いと蒸気流に同伴される冷媒液滴の量が大きくなり、しいては冷凍機の性能を低下させるため、冷媒液滴を該蒸発器にて分離するためのエリミネータが必要となる。該冷媒蒸気経路にエリミネータを導入すると、該冷媒蒸気経路での圧力損失は更に大きくなる。該冷媒蒸気経路での圧力損失もまた冷凍機の性能を低下させるため、冷凍機の性能低下を防ぐためには該冷媒蒸気経路を更に大きく取る必要がある。以上のことから、性能低下を防ぐためにはコンパクト性を犠牲にする必要があった。
▲２▼  吸収冷凍機の効率向上対策として、図９のような、２段蒸発吸収サイクルが提案されているが、構造が複雑となり、装置の大型化と製造コストの上昇という問題があった。
▲３▼  小型化に適した手法として、プレート熱交換器が提案されているが、ある程度の容量範囲では共通形状のプレートのみで対処できるものの、更に大容量となると、どうしても冷凍機全体のバランスが悪くなり、結局は、プレートを製作するのに必要となる高額な金型を準備する必要があった。
【０００４】
【発明が解決しようとする課題】
本発明は、このような従来の問題点を解決しつつ、コンパクトで、安価な多段蒸発吸収サイクルを備えた高効率な多段吸収冷凍機を提供することを課題とする。
【０００５】
【課題を解決するための手段】
上記課題を解決するために、本発明では、再生器、凝縮器及び蒸発器と吸収器のユニットを有する吸収冷凍機において、該蒸発器と吸収器のユニットは、伝熱面内部を流れる冷水と伝熱面外部を上方から下方に流下する冷媒液との間で熱交換を行う蒸発器要素と、伝熱面内部を流れる冷却水と伝熱面外部を上方から下方に流下する吸収溶液との間で熱交換を行う吸収器要素とを備え、該蒸発器要素と該吸収器要素とを所定の間隔において水平方向に交互に配置し、密閉容器内に収納して構成されると共に、該蒸発器と吸収器のユニットは、該密閉容器が隔壁により複数の作動圧力領域に区分されていることを特徴とする吸収冷凍機としたものである。
前記吸収冷凍機において、前記蒸発器と吸収器のユニットは、複数に区分された各作動圧力領域内に対し、冷水は直列に通水し、冷却水は並列又は直列に通水することができる。
【０００６】
前記蒸発器と吸収器のユニットは、複数に区分された各作動圧力領域内において、前記蒸発器要素と前記吸収器要素それぞれが上下方向に複数に配置することができる。また、該蒸発器要素の上部に冷媒散布装置を設け、該吸収器要素の上部に吸収溶液散布装置を設けると共に、該蒸発器要素又は該吸収器要素の少なくともいづれか一方には、伝熱面外部を流下する液体を分離回収するための回収機構を設けることができる。更に、前記上下方向に複数配置された上側の蒸発器要素と吸収器要素と、下側の蒸発器要素と吸収器要素との間に、該上側の蒸発器要素と吸収器要素の伝熱面外部を流下する液体を回収し、該下側の蒸発器要素と吸収器要素の伝熱面外部に散布するための回収散布機構を設けることもできる。
前記蒸発器と吸収器のユニットは、収納する密閉容器の一方の端板に蒸発器要素を接合し、他方の端板に吸収器要素を接合することができる。
また、前記蒸発器要素と吸収器要素を構成する伝熱面は、２枚の薄板を接合したプレート熱交換器、又は、中間部で折り曲げられ、かつ、入口端部と出口端部が、同一方向になるように構成される管状伝熱体とすることができる。
【０００７】
【発明の実施の形態】
次に、本発明を図面を用いて詳細に説明する。
図１は、本発明の吸収冷凍機の一例を示すフロー構成図である。
図１において、ＧＬは低温再生器、ＧＨは高温再生器、Ｃは凝縮器、ＬＸは低温溶液熱交換器、ＨＸは高温溶液熱交換器、ＳＰは溶液ポンプ、ＳＳＰは溶液スプレーポンプ、１は蒸発器と吸収器のユニットの収容されている蒸発器・吸収器缶胴、１Ｌは低圧蒸発吸収領域、１Ｈは高圧蒸発吸収領域、２は低温再生器・凝縮器缶胴、３は高温再生器缶胴、１０は隔壁、１９〜２７は溶液経路、３０〜３４は冷媒経路、５２〜５４は冷却水経路、６０はバーナ、６１は排出ガスである。
【０００８】
図１の吸収冷凍機の冷房運転においては、高圧蒸発吸収領域１Ｈの吸収器要素の伝熱面外部を上方から下方に流下することにより伝熱面内部を流れる冷却水と熱交換して冷媒蒸気を吸収した希溶液は、溶液ポンプＳＰにより経路２０を通り、低温溶液熱交換器ＬＸの被加熱側を通り、経路２１の分岐点２２で一部が分岐され、残部が高温溶液熱交換器ＨＸの被加熱側を通り、高温再生器ＧＨに導入される。高温再生器ＧＨでは、希溶液は加熱源により加熱されて冷媒液を蒸発して濃縮され、濃縮された濃溶液は、経路２４を通り、高温溶液熱交換器ＨＸの加熱側を通り熱交換される。分岐点２２で分岐された希溶液の一部は、経路２３Ａから低温再生器ＧＬに導入され、低温再生器に導入された希溶液は、経路３０からの高温再生器ＧＨにて発生した冷媒蒸気による加熱により濃縮された後、経路２６で高温溶液熱交換器ＨＸの加熱側を通ることで熱交換された濃縮液と合流して、低温溶液熱交換器ＬＸの加熱側を通り熱交換される。低温溶液熱交換器ＬＸの加熱側を通り熱交換された濃縮液は、経路２７から低圧蒸発吸収領域の吸収器要素の伝熱面外部に送られ、該伝熱面外部を上方から下方に流下する。
【０００９】
高温再生器ＧＨで蒸発した冷媒蒸気は、冷媒蒸気経路３０を通り、低温再生器ＧＬの熱源としても用いられて凝縮し、冷媒ドレンとして凝縮器Ｃに導入される。凝縮器Ｃでは、低温再生器ＧＬで蒸発した冷媒蒸気が、凝縮器Ｃの伝熱面内部を流れる冷却水により冷却され凝縮し、高温再生器ＧＨからの冷媒ドレンと合流して、経路３２から冷媒経路３３に送られる。該冷媒液は冷媒ポンプＲＰにより、高圧蒸発吸収領域１Ｈ、低圧蒸発吸収領域１Ｌの各蒸発器要素の伝熱面外部に送られ、該伝熱面外部を上方から下方に流下され、各蒸発器要素の伝熱面内部を流れる負荷側の冷水と熱交換し蒸発する。その際の蒸発熱は該冷水から奪われ、該冷水を冷却し、冷房に供される。
低圧蒸発吸収領域１Ｌの蒸発器要素にて蒸発した冷媒蒸気は、低圧蒸発吸収領域１Ｌの吸収器要素の伝熱面外部を上方から下方に流下する濃溶液に吸収される。低圧蒸発吸収領域１Ｌの吸収器要素の伝熱面外部にて冷媒蒸気を吸収した濃溶液は中間濃度溶液となり、溶液スプレーポンプＳＳＰにより経路１９を通り、高圧蒸発吸収領域１Ｈに送られ、高圧蒸発吸収領域１Ｈの吸収器要素の伝熱面外部を上方から下方に流下される。また、高圧蒸発吸収領域１Ｈの蒸発器要素にて蒸発した冷媒蒸気は、高圧蒸発吸収領域１Ｈの吸収器要素の伝熱面外部を上方から下方に流下する該中濃度溶液に吸収される。高圧蒸発吸収領域１Ｈの吸収器要素の伝熱面外部にて冷媒蒸気を吸収した中間濃度溶液は希溶液となり溶液ポンプＳＰで循環される。
図１では、蒸発器・吸収器缶胴１内に蒸発器要素と吸収器要素を所定の間隔をおいて水平方向に交互に配置すると共に、隔壁１０により低圧蒸発吸収領域１Ｌと高圧蒸発吸収領域１Ｈに区分された構成としている。
図１では、吸収冷凍サイクルは、所謂分岐フローで構成されているが、本発明はこの分岐フローに特定されるものではない。
【００１０】
図２は、図１の蒸発器・吸収器缶胴１の内部構造を示す概略構成図である。
図２では、蒸発器要素５Ｅと吸収器要素５Ａが交互に水平方向に配置されており、さらに隔壁１０により低圧蒸発吸収領域１Ｌと高圧蒸発吸収領域１Ｈに区分されている。
冷水は、経路５０から高圧蒸発吸収領域１Ｈ内の蒸発器要素５Ｅの内部を流れてから、低圧蒸発吸収領域１Ｌ内の蒸発器要素５Ｅの内部を流れて、経路５１から流出する。高圧蒸発吸収領域、低圧蒸発吸収領域それぞれに設けられた各冷媒タンク３６に貯められた冷媒液は、冷媒ポンプＲＰにより昇圧され、経路３３を経由し、各蒸発器要素５Ｅの伝熱面外部に散布され、該伝熱面外部の上方から下方に流下される。
この過程で、該伝熱面外部を流下する冷媒液は蒸発器要素５Ｅの内部を流れる冷水により加熱されて蒸発し、その際の蒸発熱が該冷水から奪われるため、該冷水は所定の温度まで冷却される。
比較的高温の冷水が流入する部分が、高圧部であり、高圧部を出た比較的低温の冷水が流入する部分が、低圧部となっている。このように冷水は、高圧部から低圧部に直列に流れるように構成されている。
【００１１】
一方、冷却水は、経路５２から高圧蒸発吸収領域１Ｈ及び低圧蒸発吸収領域１Ｌの内部に収納された吸収器要素５Ａの内部に並列に流れた後、経路５３から流出するように構成されている。なお、冷却水の流し方は、低圧蒸発吸収領域１Ｌ、高圧蒸発吸収領域１Ｈの各吸収器要素５Ａの内部を直列に流れるように構成してもよい。
再生器から戻ってきた濃吸収溶液は、経路２７から低圧蒸発吸収領域１Ｌの内部に収納された吸収器要素５Ａの伝熱面外部に散布され、該伝熱面外部の上方から下方に流下される。
この過程で、該伝熱面外部を流下する濃溶液は、低圧蒸発吸収領域１Ｌの内部に収納された吸収器要素内を流れる冷却水により冷却されると同時に、隣り合う蒸発器要素の伝熱面外部から蒸発した冷媒蒸気を吸収し、その濃度を低下させ、低圧蒸発吸収領域１Ｌの底部に流下する。低圧蒸発吸収領域１Ｌの底部に流下した吸収溶液は、さらに溶液スプレーポンプＳＳＰにより昇圧され、経路１９を経由し、高圧蒸発吸収領域１Ｈの内部に収納された吸収器要素５Ａの伝熱面外部に散布され、該伝熱面外部の上方から下方に流下される。
この過程でも該吸収溶液は、高圧蒸発吸収領域１Ｈの内部に収納された吸収器要素内を流れる冷却水により冷却されると同時に、隣り合う蒸発器要素の伝熱面外部から蒸発した冷媒蒸気を吸収し、さらにその濃度を低下させ、高圧蒸発吸収領域１Ｈの底部に流下した吸収溶液は、溶液ポンプＳＰにより経路２０を経由して再生器へ送られ、吸収溶液中から冷媒が再生される。
【００１２】
このように、蒸発器要素５Ｅと吸収器要素５Ａを交互に隣接配置することにより、蒸発器要素５Ｅで蒸発した冷媒蒸気は、隣接する吸収器要素５Ａに吸収されるため、冷媒蒸気経路は不要であり、また冷媒蒸気の流速が極めて小さいために、冷媒液滴が蒸気流に同伴されることがなくなり、エリミネータを設ける必要がなくなる。更に蒸発器要素５Ｅと吸収器要素５Ａ間の蒸気流による圧力損失が小さいために、性能向上につながる。
更には、蒸発吸収作用を高圧蒸発吸収領域１Ｈと低圧蒸発吸収領域１Ｌに分割することにより、高圧蒸発吸収領域１Ｈにおける冷媒蒸発温度を高く維持することが可能となり、高圧蒸発吸収領域１Ｈにて冷媒蒸気を吸収した吸収溶液の濃度を大きく低下させることができる。
高圧蒸発吸収領域１Ｈにて冷媒蒸気を吸収した吸収溶液の濃度が低下することにより、希溶液循環量を低減することが可能となり、溶液ポンプＳＰの動力を低減すると共に、更にサイクル効率の向上をも図ることが可能となる。
【００１３】
図３は、本発明の他の蒸発器・吸収器缶胴１の概略構成図であり、低圧蒸発吸収領域１Ｌと高圧蒸発吸収領域１Ｈを上下に区分した場合を示す。
このように構成すると、低圧蒸発吸収領域１Ｌの底部に流下した吸収溶液は、位置ヘッドにより高圧蒸発吸収領域１Ｈの内部に収納された吸収器要素５Ａの伝熱面外部に散布することができる。即ち、溶液スプレーポンプＳＳＰをなくすことも可能となる。
【００１４】
このように、蒸発器要素と吸収器要素とを所定の間隔をおいて水平方向に交互に配置し、密閉容器内に収納して構成される蒸発器と吸収器のユニットの場合、各要素間の任意の場所に隔壁を簡便に設けることが可能である。また、該蒸発器要素と該吸収器要素が上下にも別けられている場合には、上下に別けられた箇所に水平方向に隔壁を簡便に設けることが可能である。
なお、図２、図３では、冷媒液は高圧蒸発吸収領域１Ｈ及び低圧蒸発吸収領域１Ｌに設けられた各冷媒タンクに一旦貯められ、吸収溶液が高圧蒸発吸収領域１Ｈ及び低圧蒸発吸収領域１Ｌの底部に流下し、各底部がそれぞれの吸収溶液の溶液溜りとなっていたが、これは逆でも構わない。また高圧蒸発吸収領域１Ｈ及び低圧蒸発吸収領域１Ｌそれぞれに冷媒タンク、吸収溶液タンクをそれぞれ設け、冷媒液、吸収溶液をそれぞれ冷媒タンク、吸収溶液タンクに貯めても構わない。
また、図２、図３では２段の蒸発吸収サイクルで説明しているが、２段に特定されることはなく、多段蒸発吸収サイクル全般に適用されるものである。
【００１５】
図４は、本発明の圧力区分された蒸発吸収領域の１つの垂直断面構成図である。吸収器要素５Ａと蒸発器要素５Ｅが所定の間隔において水平方向に交互に配置されている。吸収器要素５Ａの上部に吸収溶液散布装置６Ａを設け、蒸発器要素５Ｅの上部に冷媒散布装置６Ｅを設けると共に、蒸発器要素５Ｅの下部に冷媒液を回収する回収器７を設けてある。
このような構成により、吸収器要素５Ａの伝熱面外部を上方から下方に流下する吸収溶液と、蒸発器要素５Ｅの伝熱面外部を上方から下方に流下する冷媒液との混合を防止し、吸収冷凍機の性能を維持することができるようにしたものである。
回収器７で回収された冷媒液は、別途図示しない経路により冷媒タンク３６に回収される。
なお、図４では、蒸発器要素５Ｅの下部に回収器を設けたが、吸収器要素５Ａの下部に設けることも可能である。更には、吸収器要素５Ａと蒸発器要素５Ｅの両方に回収器を設けてもよい。
【００１６】
図５は、本発明の他の圧力区分された蒸発吸収領域の１つの垂直断面構成図である。圧力区分された蒸発吸収領域内において、吸収器要素５Ａと蒸発器要素５Ｂが所定の間隔において水平方向に交互に配置されており、更に吸収器要素５Ａ、蒸発器要素５Ｂをそれぞれ上下方向に２つ設けている例である。この場合は、上部要素と下部要素の間に、上部の吸収器要素の伝熱面外部を流下する吸収溶液を回収すると共に、下部の吸収器要素の伝熱面外部に散布する吸収溶液回収散布器８Ａ、上部の蒸発器要素の伝熱面外部を流下する冷媒液を回収すると共に、下部の吸収器要素の伝熱面外部に散布する冷媒液回収散布器８Ｅを設けている。
一般に、流下液膜式の熱交換器は、流下長さが大きくなると、その下方における液体の分布が十分に行えず、伝熱性能が低下するという問題がある。また、流下長さが大きくなることで、流下液体内部の撹乱作用が充分に行われず伝熱を阻害してしまうという問題もある。更には、プレート熱交換器を採用した場合は、冷凍容量が大きくなるとそれに見合ったサイズの大きいプレートが必要になるが、その場合は、プレートを製作するのに必要となる高額な金型を何種類も用意しなければならないという問題があった。
これらの問題に対応するために、比較的小さい吸収器要素、蒸発器要素を上下方向に２つ設置すると共に、上部の吸収器要素、蒸発器要素と下部の吸収器要素、蒸発器要素の間に回収散布器を設けたものである。
なお、図５は、上下方向に２つの吸収器要素、蒸発器要素を配置しているが、上下方向に２つに限らず、上下方向に複数配置しても良い。
【００１７】
図６は、本発明の他の圧力区分された蒸発吸収領域の１つの水平断面構成図であり、圧力区分された蒸発吸収領域の１つにおける蒸発器要素と吸収器要素の端板に対する接合方法に関するものである。
蒸発器要素５Ｅは、一方の端板９Ｅに接合され、吸収器要素５Ａは、他方の端板９Ａに接合されている。
このように構成することにより、蒸発器要素と吸収器要素を交互に設置した場合でも冷水と冷却水の供給ヘッダの構造を簡素化することが可能となる。
端板への接合は、溶接や拡管などの手法が採用される。
【００１８】
図７は、本発明の蒸発器要素と吸収器要素の一例を示す垂直断面構成図であり、（ａ）蒸発器要素（ｂ）吸収器要素であり、蒸発器要素と吸収器要素をプレート熱交換器で構成した場合の一例を示す。
図７は（ａ）は、図６のＸ断面の一例の矢視図を示している。
図７は（ｂ）は、図６のＹ断面の一例の矢視図を示している。
端板９Ｅに接合された蒸発器要素５Ｅ、端板９Ａに接合された吸収器要素５Ａは、２枚の薄板を接合した矩形のプレートで構成されている。
蒸発器要素５Ｅの場合、冷水ヘッダの下部から流入した冷水は、蒸発器要素５Ｅの内部を左から右に流れ、プレートの端部でターンをして冷水ヘッダの上部から流出する。吸収器要素５Ａの場合、冷却水ヘッダの下部から流入した冷却水は、吸収器要素５Ａの内部を右から左に流れ、プレートの端部でターンをして冷却水ヘッダの上部から流出する。プレート面には、その強度を維持するために円形の窪みを多数設けてあり、前後面を接合している。また、この多数の円形の窪みは内部の冷水に乱流を与えて伝熱を促進する効果もある。
このように、蒸発器要素や吸収器要素にプレート熱交換器を採用すると、単位体積当りの有効な伝熱面積を多くとることが可能なため、更に小型化を達成できる。
【００１９】
図８は、本発明の他の蒸発器要素と吸収器要素の一部を示す垂直断面構成図であり、（ａ）蒸発器要素、（ｂ）吸収器要素であり、蒸発器要素と吸収器要素をＵ字状の伝熱管で構成した場合の一例を示す。
図８（ａ）は、図６のＸ断面の一例の矢視図を示している。
図８（ｂ）は、図６のＹ断面の一例の矢視図を示している。
作用効果は、図７と同じであるが、プレート熱交換器と異なり、高価な金型を用いることなく、任意の形状の蒸発器要素と吸収器要素を簡便に構成することができる。
【００２０】
【発明の効果】
このように、本発明により、コンパクトで安価な高効率の多段蒸発吸収冷凍機を提供することが可能となる。
【図面の簡単な説明】
【図１】本発明の吸収冷凍機の一例を示す全体のフロー構成図。
【図２】本発明に用いる蒸発器・吸収器缶胴の内部構造の一例を示す概略構成図。
【図３】本発明に用いる蒸発器・吸収器缶胴の内部構造の他の例を示す概略構成図。
【図４】本発明に用いる圧力区分された蒸発吸収領域の１つの内部構造の別の例を示す垂直断面構成図。
【図５】本発明に用いる圧力区分された蒸発吸収領域の１つの内部構造の他の例を示す垂直断面構成図。
【図６】本発明に用いる圧力区分された蒸発吸収領域の１つの内部構造の別の水平断面構成図。
【図７】本発明に用いる蒸発器要素と吸収器要素の一例を示すプレート熱交換器の垂直断面構成図で、（ａ）図６のＸ断面の矢視図（蒸発器要素）、（ｂ）図６のＹ断面の矢視図（吸収器要素）。
【図８】本発明に用いる蒸発器要素と吸収器要素の一例を示すＵ字状伝熱管の垂直断面構成図で、（ａ）図６のＸ断面の矢視図（蒸発器要素）、（ｂ）図６のＹ断面の矢視図（吸収器要素）。
【図９】従来の多段吸収冷凍機の一例を示すフロー構成図。
【符号の説明】
１：蒸発器・吸収器缶胴、１Ｌ：低圧蒸発吸収領域、１Ｈ：高圧蒸発吸収領域、５Ａ：吸収器要素、５Ｅ：蒸発器要素、６Ａ：吸収溶液散布装置、６Ｅ：冷媒散布装置、７：回収器、８Ａ：吸収溶液回収散布器、８Ｅ：冷媒液回収散布器、９Ａ、９Ｅ：端板、１０：隔壁、１９〜２７：溶液経路、３０〜３４：冷媒経路、５０、５１：冷水経路、５２〜５４：冷却水経路、ＧＬ：低温再生器、ＧＨ：高温再生器、Ｃ：凝縮器、ＬＸ：低温溶液熱交換器、ＨＸ：高温溶液熱交換器、ＳＰ：溶液ポンプ、ＳＳＰ：溶液スプレーポンプ、ＲＰ：冷媒ポンプ
【図１】
2005042944.tif 000003
【図２】
2005042944.tif 000004
【図３】
2005042944.tif 000005
【図４】
2005042944.tif 000006
【図５】
2005042944.tif 000007
【図６】
2005042944.tif 000008
【図７】
2005042944.tif 000009
【図８】
2005042944.tif 000010
【図９】
2005042944.tif 000011